(57)【要約】【課題】処理遅延時間、受信処理回数の増加を回避し、再送利得の向上を図る無線送信装置及び無線送信方法を提供する。【解決手段】送信方法判定部１１０は、ＵＥから送信されたＣＱＩと閾値との閾値判定の結果、及び、送信トランスポートブロック数がＵＥの処理可能なトランスポートブロック数との大小関係に基づいて、送信データの分割方法を判定する。物理データサイズ決定部１１２は、送信トランスポートブロック数、ＵＥにおけるインタリーブの有無、及び、送信方法判定部１１０によって判定された分割方法に基づいて、送信する複数のトランスポートブロックのマッピング方法を決定する。【選択図】図３
2010193394.tif 000002
【特許請求の範囲】
【請求項１】
通信相手から送信されたＣＱＩが所定の閾値との閾値判定結果、及び、送信するトランスポートブロック数が前記通信相手の処理可能なトランスポートブロック数との大小関係に基づいて、送信データの分割方法を判定する判定手段と、
送信するトランスポートブロック数、判定された前記分割方法に基づいて、送信する複数のトランスポートブロックのマッピング方法を決定する決定手段と、
判定された前記分割方法及び決定された前記マッピング方法にしたがって、送信データを送信する送信手段と、
を具備する無線送信装置。
【請求項２】
通信相手から送信されたＣＱＩが所定の閾値との閾値判定結果、及び、送信するトランスポートブロック数が前記通信相手の処理可能なトランスポートブロック数との大小関係に基づいて、送信データの分割方法を判定する判定工程と、
送信するトランスポートブロック数、判定された前記分割方法に基づいて、送信する複数のトランスポートブロックのマッピング方法を決定する決定工程と、
判定された前記分割方法及び決定された前記マッピング方法にしたがって、送信データを送信する送信工程と、
を具備する無線送信方法。
【発明の詳細な説明】
【技術分野】
【０００１】
本発明は、ＨＡＲＱ（Hybrid Automatic Repeat reQuest）を適用した無線送信装置及び無線送信方法に関する。
【背景技術】
【０００２】
３ＧＰＰ ＬＴＥ（3rd Generation Partnership Project Long Term Evolution）では、ＭＩＭＯ（Multiple Input Multiple Output）技術の採用、ＮプロセスＳＡＷ（Stop And Wait）方式のＨＡＲＱの採用、さらに、下り回線のＨＡＲＱが非同期送信（再送間隔がＲＴＴ（Round Trip Time）以上で不定）であることが予定されている。
【０００３】
ここで、ＮプロセスＳＡＷ方式について説明する。まず、ＳＡＷ方式とは、図１に示すように、受信機の判定結果（ＡＣＫ／ＮＡＣＫ）に基づいて、送信するデータが新規か再送かを判定する方式であり、データを送信し、次に新規送信又は再送するまでのＲＴＴが必要である。ところが、ＲＴＴ単位でしか送信できないと、時間的に連続してリソースを割り当て可能な場合にはリソースが無駄になってしまう。
【０００４】
これに対して、ＮプロセスＳＡＷ方式は、図２に示すように、ＳＡＷを時間単位でパラレルに処理する方式であり、パラレルに処理する単位にプロセス番号を関連付ける。すなわち、非同期送信の場合、プロセス番号をＣＣＨで送信し、受信データを区別する。このように、複数（Ｎ）のＳＡＷ処理を行うことをＮプロセスＳＡＷという。
【０００５】
非特許文献１には、再送時にＭＩＭＯからＳＩＳＯ（Single Input Single Output）へ変更、すなわち、送信ストリーム数が２ストリームから１ストリームに減少した場合の送信方法として、ＭＩＭＯで送信するフォーマットで１回の再送に対して１プロセス毎に送信する技術が開示されている。ＳＩＳＯでもＭＩＭＯのデータを送信することができるため、データの区別が可能となる。
【非特許文献１】Samsung, Texas Instruments, Motorola, NTT DoCoMo, Nortel, “Indication of codewords in dynamic switching from DCI format 1A to DCI format 2” 3GPP TSG-RAN Working Group 1 #53bis,Warsaw, Poland, June 30- July 4, 2008, R1-082694
【発明の開示】
【発明が解決しようとする課題】
【０００６】
しかしながら、再送はＮプロセスＳＡＷであり、１プロセスにつき１トランスポートブロックしか送信されないため、ＭＩＭＯからＳＩＳＯに変更するとプロセス数が２倍になってしまい、処理遅延時間、受信処理回数が増加するという問題がある。また、ＣＱＩが良好な状態のサブフレームに複数のトランスポートブロックを送信できないため、再送利得が十分に得られないという問題がある。
【０００７】
本発明はかかる点に鑑みてなされたものであり、処理遅延時間、受信処理回数の増加を回避し、再送利得の向上を図る無線送信装置及び無線送信方法を提供することを目的とする。
【課題を解決するための手段】
【０００８】
本発明の無線送信装置は、通信相手から送信されたＣＱＩが所定の閾値との閾値判定結果、及び、送信するトランスポートブロック数が前記通信相手の処理可能なトランスポートブロック数との大小関係に基づいて、送信データの分割方法を判定する判定手段と、送信するトランスポートブロック数、判定された前記分割方法に基づいて、送信する複数のトランスポートブロックのマッピング方法を決定する決定手段と、判定された前記分割方法及び決定された前記マッピング方法にしたがって、送信データを送信する送信手段と、を具備する構成を採る。
【０００９】
本発明の無線送信方法は、通信相手から送信されたＣＱＩが所定の閾値との閾値判定結果、及び、送信するトランスポートブロック数が前記通信相手の処理可能なトランスポートブロック数との大小関係に基づいて、送信データの分割方法を判定する判定工程と、送信するトランスポートブロック数、判定された前記分割方法に基づいて、送信する複数のトランスポートブロックのマッピング方法を決定する決定工程と、判定された前記分割方法及び決定された前記マッピング方法にしたがって、送信データを送信する送信工程と、を具備するようにした。
【発明の効果】
【００１０】
本発明によれば、処理遅延時間、受信処理回数の増加を回避し、再送利得の向上を図ることができる。
【発明を実施するための最良の形態】
【００１１】
以下、本発明の実施の形態について、図面を参照して詳細に説明する。
【００１２】
（実施の形態）
図３は、本発明の実施の形態に係る無線送信装置１００の構成を示すブロック図である。この図において、受信ＲＦ部１０２は、通信相手であるＵＥ（User Equipment）から送信された信号をアンテナ１０１経由で取得し、取得した信号にＡ／Ｄ変換、ダウンコンバート等の所定の無線受信処理を施し、同期部１０３に出力する。
【００１３】
同期部１０３は、受信ＲＦ部１０２から出力された信号に同期処理を施して復調部１０４に出力し、復調部１０４は、同期部１０３から出力された信号を復調して復調結果を分離部１０５に出力する。
【００１４】
分離部１０５は、復調部１０４から出力された信号をＤＬ−ＡＣＫ、ＵＬＣＣＨ（UpLink Control Channel）、ＵＬＳＣＨ（UpLink Shared Channel）に分離し、ＵＬＣＣＨをＵＬＣＣＨ復号部１０６に、ＵＬＳＣＨをＵＬＳＣＨ復号部１０７に、ＤＬ−ＡＣＫをＤＬ−ＡＣＫ復号部１０８にそれぞれ出力する。
【００１５】
ＵＬＣＣＨ復号部１０６は、分離部１０５から出力されたＵＬＣＣＨを復号し、復号したＵＬＣＣＨに含まれる制御情報及びＣＱＩをＵＬＳＣＨ復号部１０７及び制御部１０９に出力する。
【００１６】
ＵＬＳＣＨ復号部１０７は、ＵＬＣＣＨ復号部１０６から出力された制御情報に基づいて、分離部１０５から出力されたＵＬＳＣＨを復号し、復号したデータについてＣＲＣ判定を行って、ＣＲＣ判定結果を制御部１０９に出力する。ＣＲＣ判定の結果、誤りなしであれば復号したデータを出力する。
【００１７】
ＤＬ−ＡＣＫ復号部１０８は、分離部１０５から出力されたＤＬ−ＡＣＫを復号し、復号したＡＣＫ／ＮＡＣＫ情報を制御部１０９に出力する。
【００１８】
制御部１０９は、ＵＬＣＣＨ復号部１０６から出力されたＣＱＩを送信方法判定部１１０に出力する。
【００１９】
また、制御部１０９は、ＵＥの処理可能なトランスポートブロック数、コードブロック数を送信方法判定部１１０に出力する。ただし、この処理可能なトランスポートブロック数、コードブロック数は既知情報とする。
【００２０】
また、制御部１０９は、ＤＬ−ＡＣＫ復号部１０８から下りＡＣＫ／ＮＡＣＫ情報を取得し、ＡＣＫであれば次回の送信を初回送信として、ＨＡＲＱプロセス番号、トランスポートブロック数、コードブロック数、ＳＦＮ（Super Frame Number又はSystem Frame Number）、サブフレーム番号を送信方法判定部１１０に出力する。一方、ＮＡＣＫであれば次回送信を再送として、ＨＡＲＱプロセス番号、トランスポートブロック数、コードブロック数、初回送信のＳＦＮ、サブフレーム番号を送信方法判定部１１０に出力する。
【００２１】
また、制御部１０９は、送信可能なＨＡＲＱプロセス番号の初回送信ＳＦＮ、サブフレーム番号、トランスポートブロックサイズ、コードブロック数を送信方法判定部１１０に出力する。
【００２２】
また、制御部１０９は、送信方法判定部１１０から送信可能なＨＡＲＱプロセス番号を取得すると、そのプロセス番号を送信不可能（送信中）とする。また、送信方法判定部１１０から通知された送信可能なＨＡＲＱプロセス番号に新規データが含まれていた場合、初回送信のＳＦＮ、サブフレーム番号を保存する。
【００２３】
また、制御部１０９は、対象ＵＥのトランスポートブロックサイズ、他ＵＥ（対象ＵＥ以外のＵＥ）のトランスポートブロックサイズをスケジューリング部１１１に出力する。なお、対象ＵＥとは、送信方法判定部１１０から通知されたＨＡＲＱプロセス番号を有するＵＥを指す。
【００２４】
また、制御部１０９は、スケジューリング部１１１から出力された割り当て結果を取得し、送信するＨＡＲＱプロセスの再送回数、トランスポートブロックサイズ、ＱｏＳを物理データサイズ決定部１１２に出力する。
【００２５】
また、制御部１０９は、対象ＵＥのインタリーブの有無を物理データサイズ決定部１１２に出力する。
【００２６】
また、制御部１０９は、送信するＨＡＲＱプロセス番号の制御情報（ＭＣＳ：Modulation and Coding Scheme、ＲＶ：Redundancy VersionなどＤＬＣＣＨ、ＤＬＳＣＨ符号化で必要な情報）を物理データサイズ決定部１１２に出力する。
【００２７】
また、制御部１０９は、他ＵＥのＲＢ（Resource Block）アサイン情報などをマッピング部１１９に出力する。
【００２８】
送信方法判定部１１０は、制御部１０９から出力された送信可能なＨＡＲＱプロセス番号の初回送信ＳＦＮ、サブフレーム番号、トランスポートブロックサイズ、コードブロック数、ＣＱＩ、ＵＥが処理可能なトランスポートブロックサイズ、トランスポートブロック数及びコードブロック数を取得し、取得したこれらの情報基づいて、送信可能なＨＡＲＱプロセス番号の組み合わせを求めて、制御部１０９に出力する。なお、１トランスポートブロックは複数のコードブロックから構成されるものである。
【００２９】
また、送信方法判定部１１０は、取得した情報を用いて送信データの分割方法（時分割、周波数分割等）を決定し、決定した分割方法を物理データサイズ決定部１１２に出力する。なお、分割方法の詳細については後述する。
【００３０】
スケジューリング部１１１は、制御部１０９から出力された対象ＵＥのトランスポートブロックサイズ、他ＵＥのトランスポートブロックサイズを取得し、取得したこれらのトランスポートブロックサイズに基づいて、ＵＥにＲＢを割り当て、ＲＢ割り当て結果を制御部１０９に出力する。ＲＢ割り当て結果とは、ＲＢアサインメント（RB assignment）と呼び、どのＵＥにどのＲＢを割り当てたかを示す。また、スケジューリング部１１１は、１つのＵＥに２つ以上のトランスポートブロックを送信するような情報が入力された場合、このＵＥに優先的にＲＢを割り当てるようにする。
【００３１】
物理データサイズ決定部１１２は、制御部１０９から出力されたＲＢアサインメント、送信するＨＡＲＱプロセスの再送回数、トランスポートブロックサイズ、ＱｏＳを取得する。また、インタリーブ有無の情報、送信する制御情報（ＭＣＳ、ＲＶなどＤＬＳＣＨ符号化に必要またはＤＬＣＣＨで送信する情報）を取得する。
【００３２】
物理データサイズ決定部１１２は、ＲＢアサインメントから総物理データサイズを求め、送信する各ＨＡＲＱプロセスの物理データサイズを総物理データサイズ、送信するトランスポートブロックサイズ、再送回数（または再送回数と任意の調整値）、ＱｏＳ（またはＱｏＳと任意の調整値）といった送信の重要度を示す情報を用いて、次式（１）により物理データサイズを決定する。また、単純にトランスポートブロックサイズの比から物理データサイズを求めてもよい。
【００３３】
Phy(N)=Roundup(Phy(T)*Trblk(N)/Trblk(T)*1/TxNum(R)^α)*(QoS(N)/QoS(R))^β
if Phy(N)<Trblk(N)*γ
Phy(N)=Trblk(N)*γ
else Phy(R)=Phy(T)-Phy(N)
・・・（１）
【００３４】
上式（１）において、Phy(N)は新規データの物理データサイズを表し、Phy(R)は再送データの物理データサイズを表し、Phy(T)は総物理データサイズを表している。また、αは０．１〜０．５の任意の値を、βは０．１〜０．５の任意の値を、γは１〜３の値をそれぞれ示している。Num(R)は再送データの再送回数を示す。
【００３５】
物理データサイズ決定部１１２は、制御部１０９から出力された送信するＨＡＲＱプロセス番号と再送回数とに基づいて、新規データバッファ部１１３又は再送データバッファ部１１４に読み出し要求を出力し、ＤＬＳＣＨ符号化部１１７又は１１８のいずれで処理するかを示す選択情報を選択部１１５に出力する。
【００３６】
また、物理データサイズ決定部１１２は、新規データ及び再送データとこれらの制御情報をＤＬＳＣＨ符号化部１１７、１１８のいずれに出力するかを示す出力先情報、物理データサイズ、制御情報を選択部１１５に出力する。ここで制御情報とは、ＤＬＳＣＨ符号化に必要な制御情報（ＭＣＳ、ＲＶなど）を示す。なお、新規データをＤＬＳＣＨ符号化部１１７が処理するとした場合、この新規データの符号化に必要な制御情報もＤＬＳＣＨ符号化部１１７に出力されるようにする。
【００３７】
また、物理データサイズ決定部１１２は、制御部１０９から出力された送信するトランスポートブロック数（送信するＨＡＲＱプロセスの数）、インタリーブの有無、送信方法判定部１１０から出力された分割方法に基づいて、マッピング方法を決定し、決定したマッピング方法をマッピング部１１９に出力する。 
【００３８】
なお、物理データサイズの求め方は特に問題ではなく、送信する物理データサイズをそれぞれ任意に調整できればよい。また、一方のトランスポートブロックの物理データサイズのみ大きくならないよう、保護処理を設ける（式（１）におけるｉｆ文以下の処理）。
【００３９】
新規データバッファ部１１３は、物理データサイズ決定部１１２から出力された読み出し要求に従って、新規データを選択部１１５に出力し、再送データバッファ部１１４は、物理データサイズ決定部１１２から出力された読み出し要求に従って、再送データを選択部１１５に出力する。
【００４０】
選択部１１５は、物理データサイズ決定部１１２から出力された出力先情報に従って、新規データバッファ又は再送データバッファから出力されたデータと物理データサイズ、制御情報をＤＬＳＣＨ符号化部１１７又は１１８に出力する。また、物理データサイズ決定部１１２から出力された制御情報をＤＬＣＣＨ符号化部１１６に出力する。
【００４１】
ＤＬＣＣＨ符号化１１６部は、選択部１１５から出力された制御情報を符号化し、マッピング部１１９に出力する。
【００４２】
ＤＬＳＣＨ符号化部１１７、１１８は、選択部１１５から出力されたデータを符号化し、マッピング部１１９に出力する。
【００４３】
マッピング部１１９は、制御部１０９から出力された全ＵＥのＲＢ割り当て情報、ＣＦＩ（Control Format Indicator又はＰＣＦＩＣＨ：Physical Control Format Indicator Channel）及びＰＨＩＣＨ（Physical Hybrid-ARQ Indicator Channel）、物理データサイズ決定部１１２から出力されたマッピング方法に基づいて、ＤＬＣＣＨ符号化部１１６、ＤＬＳＣＨ符号化部１１７、ＤＬＳＣＨ符号化部１１８からそれぞれ出力されたデータをマッピングし、変調部１２０に出力する。なお、マッピング方法の詳細については後述する。
【００４４】
変調部１２０は、マッピング部１１９から出力された信号を変調して送信ＲＦ部１２１に出力し、送信ＲＦ部１２１は、変調部１２０から出力された信号にＤ／Ａ変換、アップコンバート等の所定の無線送信処理を施し、アンテナ１０１から送信する。
【００４５】
次に、上述したマッピング方法について具体的に説明する。マッピング方法としては、図４に示すように、４つのパターン（以下、マッピング方法Ａ〜Ｄと表記する）が考えられる。マッピング方法Ａは、図４Ａのようにマッピングする。この方法は、ＵＥがＳＩＳＯ、ＳＩＭＯ（Single Input Multiple Output）のみに対応し、送信するトランスポートブロックが１つであり、ＵＥの復号器が単数である場合に適用される。
【００４６】
マッピング方法Ｂは、図４Ｂのようにマッピングする。すなわち、１つのトランスポートブロックを最初にマッピングし、その後に別のトランスポートブロックをマッピングする。この方法は、ＵＥがＳＩＳＯ、ＳＩＭＯのみに対応し、送信トランスポートブロック数が複数であり、ＵＥの復号器が単数である場合に適用され、時分割割り当てとなる。
【００４７】
マッピング方法Ｃは、図４Ｃのようにマッピングする。すなわち、物理データサイズの比から、周波数軸方向へ均等にマッピングするようにするこの方法は、ＵＥがＭＩＭＯに対応し、送信トランスポートブロック数が複数であり、ＵＥの復号器が複数ある場合に適用し、周波数分割割り当てとなる。
【００４８】
マッピング方法Ｄは、図４Ｄのようにマッピングする。すなわち、それぞれのＤＬＳＣＨ符号化部１１７、１１８の出力を交互にマッピングする。ＤＬＳＣＨ符号化部１１７、１１８の出力が先頭から順にマッピングすればインタレースであり、ランダムにマッピングすればインタリーブとなるこの方法は、ＵＥがＭＩＭＯに対応し、送信トランスポートブロック数が複数であり、ＵＥの復号器が複数であり、さらにインタリーブの設定がある場合に適用され、周波数分割とインタリーブが選択される。なお、インタリーブまたはインタレースであればよい。また、マッピング方法Ｄは、周波数分散の効果により、受信特性はマッピング方法Ｃ（図４Ｃ）に比べて高い。
【００４９】
図４では、新規データと再送データの組み合わせとしているが、再送データと再送データの場合もありうる。
【００５０】
次に、上述した送信方法判定部１１０の処理について図５を用いて説明する。図５において、ステップ（以下、「ＳＴ」と省略する）５０１では、ＳＦＮ、サブフレーム番号から初回送信が最も古いプロセス番号を選択し、トランスポートブロックサイズ（図中、「ＴｒＢｌｋ」と表記）、コードブロック数をカウントし、ＳＴ５０２へ移行する。
【００５１】
ＳＴ５０２では、ＣＱＩが閾値以上か判定し、閾値未満（ＮＯ）の場合ＳＴ５０３に移行し、閾値以上（ＹＥＳ）の場合ＳＴ５０４に移行する。ＳＴ５０３では、分割方法を分割なしと設定し、処理を終了する。
【００５２】
ＳＴ５０４では、送信可能なＨＡＲＱプロセスが残っているか否かを判定し、送信可能なＨＡＲＱプロセスが残っている（ＹＥＳ）場合ＳＴ５０５へ移行し、送信可能なＨＡＲＱプロセスが残っていない（ＮＯ）場合ＳＴ５０８へ移行する。
【００５３】
ＳＴ５０５では、ＳＦＮ、サブフレーム番号から次に初回送信が古いプロセス番号を選択し、トランスポートブロックサイズ、コードブロック数をカウント（加算）し、ＳＴ５０６へ移行する。
【００５４】
ＳＴ５０６では、ＳＴ５０５でカウントしたトランスポートブロックサイズがＵＥの復号器が処理可能なトランスポートブロックサイズ以下であり、かつ、ＳＴ５０５でカウントしたコードブロック数がＵＥの復号器が処理可能なコードブロック数以下であるか判定し、以下（ＹＥＳ）の場合ＳＴ５０４へ戻り、超える（ＮＯ）場合ＳＴ５０７へ移行する。
【００５５】
ＳＴ５０７では、ＳＴ５０５でカウントしたトランスポートブロックサイズ及びコードブロック数を削除（減算）し、ＳＴ５０４へ戻る。
【００５６】
ＳＴ５０８では、送信するＨＡＲＱプロセス数から送信するトランスポートブロック数を求め、送信するトランスポートブロック数が１未満か１以上か判定する。１未満（ＮＯ）の場合ＳＴ５０３へ移行し、１以上の場合（ＹＥＳ）ＳＴ５０９へ移行する。
【００５７】
ＳＴ５０９では、ＵＥの復号器が処理可能なトランスポートブロック数以下か否か判定する。処理可能（ＹＥＳ）な場合ＳＴ５１０に移行し、処理不可能（ＮＯ）な場合ＳＴ５１１へ移行する。
【００５８】
ＳＴ５１０では、分割方法を周波数分割に決定し、処理を終了する。また、ＳＴ５１１では、分割方法を時分割に決定し、処理を終了する。
【００５９】
次に、上述した物理データサイズ決定部１１２の処理について図６を用いて説明する。図６において、ＳＴ６０１では、送信トランスポートブロック数が１か否か判定（１以上であることが前提）し、１の場合（ＹＥＳ）ＳＴ６０２へ移行し、１を越える場合（ＮＯ）ＳＴ６０３へ移行する。
【００６０】
ＳＴ６０２では、マッピング方法Ａ（図４Ａ）に決定し、終了する。
【００６１】
ＳＴ６０３では、ＲＢアサインメントから物理データサイズPhy(T)を求め、ＳＴ６０４では、式（１）を用いて物理データサイズを求め、ＳＴ６０５へ移行する。
【００６２】
ＳＴ６０５では、分割方法が時分割か否か判定し、時分割（ＹＥＳ）の場合ＳＴ６０６へ移行し、周波数分割（ＮＯ）の場合ＳＴ６０７へ移行する。
【００６３】
ＳＴ６０６では、マッピング方法Ｂ（図４Ｂ）に決定し、処理を終了する。
【００６４】
ＳＴ６０７では、インタリーブの有無を判定し、なし（ＮＯ）の場合ＳＴ６０８へ移行し、あり（ＹＥＳ）の場合ＳＴ６０９へ移行する。
【００６５】
ＳＴ６０８では、マッピング方法Ｃ（図４Ｃ）に決定し、処理を終了する。また、ＳＴ６０９では、マッピング方法Ｄ（図４Ｄ）に決定し、処理を終了する。
【００６６】
なお、受信装置では、復号器が複数あれば、複数のトランスポートブロックを並列処理し、復号器が単数であれば、複数のトランスポートブロックを時系列処理する。
【００６７】
このように本実施の形態によれば、ＣＱＩが良好なときに、複数のトランスポートブロックを１サブフレームにまとめて送信することにより、ＨＡＲＱの時間合成利得を向上させることができるので、再送利得の向上を図ることができ、また、処理遅延時間、受信処理回数の増加を回避することができる。
【００６８】
なお、送信するトランスポートブロック及びコードブロックは、それぞれ複数のチャネルを適用することも考えられる。例えば、トランスポートブロックによって、ＰＣＨ（Paging Channel）及びＰＤＳＣＨ（Physical Downlink Shared Channel）を同時に送信することが考えられる。
【００６９】
また、ＵＥがＳＩＳＯ又はＳＩＭＯのみに対応している場合であっても、ＵＥの処理クロック数が高いなど処理能力が高い場合には処理コード数が多くなるので、このようなＵＥに対しては送信データが周波数分割によって送信されてもよい。
【産業上の利用可能性】
【００７０】
本発明にかかる無線送信装置及び無線送信方法は、３ＧＰＰ ＬＴＥなどの移動通信システムに適用することができる。
【図面の簡単な説明】
【００７１】
【図１】ＳＡＷ方式の説明に供する図
【図２】ＮプロセスＳＡＷ方式の説明に供する図
【図３】本発明の実施の形態に係る無線送信装置の構成を示すブロック図
【図４】ＲＢの割り当て方法の説明に供する図
【図５】図３に示した送信方法判定部の処理を説明するフロー図
【図６】図３に示した物理データサイズ決定部の処理を説明するフロー図
【符号の説明】
【００７２】
１０１  アンテナ
１０２  受信ＲＦ部
１０３  同期部
１０４  復調部
１０５  分離部
１０６  ＵＬＣＣＨ復号部
１０７  ＵＬＳＣＨ復号部
１０８  ＤＬ−ＡＣＫ復号部
１０９  制御部
１１０  送信方法判定部
１１１  スケジューリング部
１１２  物理データサイズ決定部
１１３  新規データバッファ部
１１４  再送データバッファ部
１１５  選択部
１１６  ＤＬＣＣＨ符号化部
１１７、１１８  ＤＬＳＣＨ符号化部
１１９  マッピング部
１２０  変調部
１２１  送信ＲＦ部
【図１】
2010193394.tif 000003
【図２】
2010193394.tif 000004
【図３】
2010193394.tif 000005
【図４】
2010193394.tif 000006
【図５】
2010193394.tif 000007
【図６】
2010193394.tif 000008